【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】
セットされた原稿をスキャナにより読み取って得た画情報をいったんメモリに蓄積し、その蓄積した画情報を、公衆回線を介した画情報送信、または、ネットワークを介した電子メールによる送信のいずれかの選択された送信形態により、当該選択された送信形態に適合する所定の符号化形式で送信する画情報通信装置において、
送信原稿読み取りに際して指定された送信宛先情報に基づいて送信形態を判定する送信形態判定手段と、
セットされた原稿をスキャナにより読み取って得た画情報を、前記送信形態判定手段により判定された送信形態に適合する所定の符号化方式で符号化して前記メモリに蓄積すると共に、前記送信形態判定手段により判定された送信形態が電子メールによる送信である場合には、電子メールによる送信形式において必要な付帯情報も併せて収集する蓄積制御手段と、
その蓄積制御手段により前記メモリに蓄積された符号化画情報を、前記送信形態判定手段により判定された送信形態で前記指定された送信宛先情報により特定される相手先に送信する送信制御手段とを備えたことを特徴とする画情報通信装置。
【請求項２】
セットされた原稿をスキャナにより読み取って得た画情報をいったんメモリに蓄積し、その蓄積した画情報を、公衆回線を介した画情報送信、または、ネットワークを介した電子メールによる送信のいずれかの選択された送信形態により、当該選択された送信形態に適合する所定の符号化形式で送信する画情報通信装置において、
セットされた原稿を前記スキャナにより読み取って得た画情報を、前記画情報送信に適合する通常符号化形式で符号化して前記メモリに蓄積すると同時に、前記電子メールによる送信形式に適合する符号化形式で符号化して前記電子メールによる送信形式において必要な付帯情報も併せて収集する蓄積制御手段と、
その蓄積制御手段により前記メモリに蓄積された符号化画情報を、選択された送信形態が前記画情報送信である場合には相手先に画情報送信する一方、選択された送信形態が前記電子メールによる送信である場合には、前記電子メールによる送信に適合する符号化形式に変換しつつ前記蓄積制御手段が収集した付帯情報と共に電子メールにより相手先に送信する送信制御手段とを備えたことを特徴とする画情報通信装置。
【請求項３】
セットされた原稿をスキャナにより読み取って得た画情報をいったんメモリに蓄積し、その蓄積した画情報を、公衆回線を介した画情報送信、または、ネットワークを介した電子メールによる送信のいずれかの選択された送信形態により、当該選択された送信形態に適合する所定の符号化形式で送信する画情報通信装置において、
セットされた原稿を前記スキャナにより読み取って得た画情報を、前記画情報送信に適合する通常符号化形式で符号化して前記メモリに蓄積すると同時に、１ページ分の読み取りが行われるごとに、当該１ページ分の画情報を前記電子メールによる送信形式に適合する符号化形式で符号化して、前記電子メールによる送信形式において必要な付帯情報も併せて収集する蓄積制御手段と、
その蓄積制御手段により前記メモリに蓄積された符号化画情報を、選択された送信形態が前記画情報送信である場合には相手先に画情報送信する一方、選択された送信形態が前記電子メールによる送信である場合には、前記電子メールによる送信に適合する符号化形式に変換しつつ前記蓄積制御手段が収集した付帯情報と共に電子メールにより相手先に送信する送信制御手段とを備えたことを特徴とする画情報通信装置。
【請求項４】
前記蓄積制御手段が収集する前記付帯情報は、前記セットされた原稿をスキャナにより読み取って得た画情報についての総ライン数または／及び符号化後データバイト数を含むことを特徴とする請求項１ないし３のいずれかに記載の画情報通信装置。
【手続補正２】
【補正対象書類名】明細書
【補正対象項目名】０００１
【補正方法】変更
【補正の内容】
【０００１】
【発明の属する技術分野】
本発明は、ファクシミリ装置等の画情報通信装置に関し、特に、セットされた原稿をスキャナにより読み取って得た画情報をいったんメモリに蓄積し、その蓄積した画情報を、公衆回線を介した画情報送信、または、ネットワークを介した電子メールによる送信のいずれかの選択された送信形態により、当該選択された送信形態に適合する所定の符号化形式で送信する画情報通信装置に関する。
【手続補正３】
【補正対象書類名】明細書
【補正対象項目名】００１３
【補正方法】変更
【補正の内容】
【００１３】
【課題を解決するための手段】
請求項１に記載の画情報通信装置は、セットされた原稿をスキャナにより読み取って得た画情報をいったんメモリに蓄積し、その蓄積した画情報を、公衆回線を介した画情報送信、または、ネットワークを介した電子メールによる送信のいずれかの選択された送信形態により、当該選択された送信形態に適合する所定の符号化形式で送信する画情報通信装置において、送信原稿読み取りに際して指定された送信宛先情報に基づいて送信形態を判定する送信形態判定手段と、セットされた原稿をスキャナにより読み取って得た画情報を、前記送信形態判定手段により判定された送信形態に適合する所定の符号化方式で符号化して前記メモリに蓄積すると共に、前記送信形態判定手段により判定された送信形態が電子メールによる送信である場合には、電子メールによる送信形式において必要な付帯情報も併せて収集する蓄積制御手段と、その蓄積制御手段により前記メモリに蓄積された符号化画情報を、前記送信形態判定手段により判定された送信形態で前記指定された送信宛先情報により特定される相手先に送信する送信制御手段とを備えたことを特徴とする。
【手続補正４】
【補正対象書類名】明細書
【補正対象項目名】００１４
【補正方法】変更
【補正の内容】
【００１４】
請求項２に記載の画情報通信装置は、セットされた原稿をスキャナにより読み取って得た画情報をいったんメモリに蓄積し、その蓄積した画情報を、公衆回線を介した画情報送信、または、ネットワークを介した電子メールによる送信のいずれかの選択された送信形態により、当該選択された送信形態に適合する所定の符号化形式で送信する画情報通信装置において、セットされた原稿を前記スキャナにより読み取って得た画情報を、前記画情報送信に適合する通常符号化形式で符号化して前記メモリに蓄積すると同時に、前記電子メールによる送信形式に適合する符号化形式で符号化して前記電子メールによる送信形式において必要な付帯情報も併せて収集する蓄積制御手段と、その蓄積制御手段により前記メモリに蓄積された符号化画情報を、選択された送信形態が前記画情報送信である場合には相手先に画情報送信する一方、選択された送信形態が前記電子メールによる送信である場合には、前記電子メールによる送信に適合する符号化形式に変換しつつ前記蓄積制御手段が収集した付帯情報と共に電子メールにより相手先に送信する送信制御手段とを備えたことを特徴とする。
【手続補正５】
【補正対象書類名】明細書
【補正対象項目名】００１５
【補正方法】変更
【補正の内容】
【００１５】
請求項３に記載の画情報通信装置は、セットされた原稿をスキャナにより読み取って得た画情報をいったんメモリに蓄積し、その蓄積した画情報を、公衆回線を介した画情報送信、または、ネットワークを介した電子メールによる送信のいずれかの選択された送信形態により、当該選択された送信形態に適合する所定の符号化形式で送信する画情報通信装置において、セットされた原稿を前記スキャナにより読み取って得た画情報を、前記画情報送信に適合する通常符号化形式で符号化して前記メモリに蓄積すると同時に、１ページ分の読み取りが行われるごとに、当該１ページ分の画情報を前記電子メールによる送信形式に適合する符号化形式で符号化して、前記電子メールによる送信形式において必要な付帯情報も併せて収集する蓄積制御手段と、その蓄積制御手段により前記メモリに蓄積された符号化画情報を、選択された送信形態が前記画情報送信である場合には相手先に画情報送信する一方、選択された送信形態が前記電子メールによる送信である場合には、前記電子メールによる送信に適合する符号化形式に変換しつつ前記蓄積制御手段が収集した付帯情報と共に電子メールにより相手先に送信する送信制御手段とを備えたことを特徴とする。
請求項４に記載の画情報通信装置は、請求項１ないし３のいずれかに記載の画情報信装置において、前記蓄積制御手段が収集する前記付帯情報は、前記セットされた原稿をスキャナにより読み取って得た画情報についての総ライン数または／及び符号化後データバイト数を含むことを特徴とする。
【手続補正６】
【補正対象書類名】明細書
【補正対象項目名】００５３
【補正方法】変更
【補正の内容】
【００５３】
【発明の効果】
請求項１に係る発明によれば、指定される送信宛先情報が、送信形態によって形式が異なることに鑑みて、原稿画情報の読み取り開始に先立って、指定された送信宛先情報に基づいて送信形態を判定し、その判定した送信形態に適合する符号化形式で読み取り画情報を符号化して前記メモリに蓄積すると共に、送信形態が電子メールによる送信の場合に必要な付帯情報も得るようにしたため、最終的な送信形態が電子メールによる送信の場合でも、画情報送信用符号化データから電子メール用符号化データへの変換・記憶処理を無くすことができ、ソフトウエア負荷の軽減が可能となると共に、変換後データ記憶のめたのメモリの無駄な消費がなくなり、効果的なメモリ使用が可能となる効果が得られる。
【手続補正７】
【補正対象書類名】明細書
【補正対象項目名】００５４
【補正方法】変更
【補正の内容】
【００５４】
請求項２に係る発明によれば、画情報送信に適合する符号化形式で読み取り画情報を符号化して前記メモリに蓄積すると共に、電子メールによる送信に適合する符号化形式で読み取り画情報を符号化して送信形態が電子メールによる送信の場合に必要な付帯情報を併せて得るようにしたため、最終的な送信形態が電子メールによる送信の場合でも、画情報送信用符号化データから電子メール用符号化データへ変換しながら送信することができ、変換後データ記憶のめたのメモリの無駄な消費がなくなり、また、メール送信の即時性を向上させることが可能となる効果が得られる。
【手続補正８】
【補正対象書類名】明細書
【補正対象項目名】００５５
【補正方法】変更
【補正の内容】
【００５５】
請求項３に係る発明によれば、画情報送信に適合する符号化形式で読み取り画情報を符号化して前記メモリに蓄積すると共に、１ページの原稿画情報の読みとりが行われるごとに当該１ページ分の原稿画情報について、電子メールによる送信に適合する符号化形式で読み取り画情報を符号化して送信形態が電子メールによる送信の場合に必要な付帯情報を併せて得るようにしたため、最終的な送信形態が電子メールによる送信の場合でも、画情報送信用符号化データから電子メール用符号化データへ変換しながら送信することができ、変換後データ記憶のためのメモリの無駄な消費がなくなり、また、メール送信の即時性を向上させることが可能となる効果が得られる。
請求項４に係る発明によれば、最終的に電子メールにより画情報を送信しようとする時点で前記総ライン数や符号化後データバイト数を取得しなくても原稿画情報の読み取りの時点ですでに取得済みであるためメール送信の即時性を向上させることが可能となる効果が得られる。